(57)【要約】【課題】印刷装置の使用状況に応じた適切な情報を、使用者に対し迅速に提示できる情報表示システム、情報表示システムの制御方法、および印刷装置を提供する。【解決手段】レシートプリンター１は、地理的な位置情報を取得する位置検出部１０と、印刷を行う印刷部１３と、位置検出部１０が取得した位置情報を含む２次元コードＣ１を生成し、２次元コードＣ１を印刷部１３に印刷させるプリンター制御部１２と、を備え、携帯電話２は、レシートプリンター１で印刷された２次元コードＣ１を撮像する撮像部２２と、表示を行う表示画面部２１と、撮像部２２の撮像結果に基づき、外部サーバー３から受信した画面であって位置情報に対応するメニュー画面を表示画面部２１に表示させる端末制御部２６と、を備える。【選択図】図１
2017187881.tif 000002
【特許請求の範囲】
【請求項１】
印刷装置、携帯端末、および外部サーバーを備える情報表示システムであって、
前記印刷装置は、
地理的な位置情報を取得する位置検出部と、
印刷を行う印刷部と、
前記位置検出部が取得した位置情報を含む２次元コードを生成し、当該２次元コードを前記印刷部に印刷させる出力制御部と、を備え、
前記携帯端末は、
前記印刷装置で印刷された前記２次元コードを撮像する撮像部と、
表示を行う表示画面部と、
前記撮像部の撮像結果に基づき、前記外部サーバーから受信した画面であって前記位置情報に対応するメニュー画面を前記表示画面部に表示させる端末制御部と、を備えることを特徴とする情報表示システム。
【請求項２】
前記携帯端末は、前記外部サーバーと通信する通信部をさらに備え、
前記印刷装置の前記出力制御部は、前記印刷装置の設定内容を示す設定コードと製品情報と前記位置情報と前記外部サーバーのアドレス情報とを含んだ前記２次元コードを生成し、
前記携帯端末の前記通信部は、前記撮像部の撮像結果を前記アドレス情報が示す前記外部サーバーへ送信することを特徴とする請求項１に記載の情報表示システム。
【請求項３】
前記設定コードは、前記印刷装置のエラー内容を示すエラーコードと、前記印刷装置の内部状況を示す内部コードと、を含む設定内容であることを特徴とする請求項２に記載の情報表示システム。
【請求項４】
前記携帯端末の前記通信部は、前記外部サーバーが前記撮像結果を解析して前記位置情報から特定した言語で記述されたメニュー画面を、前記外部サーバーから受信することを特徴とする請求項２または３に記載の情報表示システム。
【請求項５】
前記携帯端末の前記通信部は、前記外部サーバーが前記撮像結果を解析して前記位置情報から言語を特定できない場合は英語で記述されたメニュー画面を、前記外部サーバーから受信することを特徴とする請求項２または３に記載の情報表示システム。
【請求項６】
印刷装置、携帯端末、および外部サーバーを備える情報表示システムの制御方法であって、
前記印刷装置が、地理的な位置情報を取得して、当該位置情報を含む２次元コードを生成して印刷を行い、
前記携帯端末が、印刷された前記２次元コードを撮像した撮像結果に基づき、前記外部サーバーから受信した画面であって前記位置情報に対応するメニュー画面を表示することを特徴とする情報表示システムの制御方法。
【請求項７】
地理的な位置情報を取得する位置検出部と、
印刷を行う印刷部と、
前記位置検出部が取得した位置情報を含む２次元コードを生成し、当該２次元コードを前記印刷部に印刷させる出力制御部と、を備えることを特徴とする印刷装置。
【発明の詳細な説明】
【技術分野】
【０００１】
本発明は、携帯端末上に、印刷装置のマニュアルを表示する情報表示システム、情報表示システムの制御方法、および印刷装置に関するものである。
【背景技術】
【０００２】
従来、電子機器の銘板に表示された２次元コードを携帯端末で読み取ることにより、その電子機器に対応したマニュアルを表示するマニュアル情報表示システムが知られている（例えば、特許文献１）。このシステムにより、電子機器の使用者は、マニュアルを保管したり、保管しておいたマニュアルを探し出したりする手間を必要とせずに、マニュアルを閲覧することが可能になる。
【先行技術文献】
【特許文献】
【０００３】
【特許文献１】特開２００７−１９３６０３号公報
【発明の概要】
【発明が解決しようとする課題】
【０００４】
ところが、膨大なマニュアルを備える電子機器の場合、表示された電子マニュアルの中から所望の情報を探し出すことは困難である。例えば、エラーの発生時において、そのエラーの対処情報が記載されたマニュアルの該当箇所を迅速に探し出せないことがある。また、ＯＳ（Operating  System）、ドライバー、ユーティリティーなど、各種プログラムの更新を必要とする電子機器にあっては、そのプログラムのバージョンによって、参照すべきマニュアルが異なる場合や、電子機器が設置されている国や地域ごとにマニュアルの言語が異なる場合がある。これらの場合、所望の情報を迅速に探し出すことはさらに困難である。
【０００５】
本発明は、上記の問題点に鑑み、電子機器の一類型である印刷装置について、当該印刷装置の使用状況に応じた適切な情報を、使用者に対し迅速に提示できる情報表示システム、情報表示システムの制御方法、および印刷装置を提供することを目的とする。
【課題を解決するための手段】
【０００６】
本発明は、上述の課題の少なくとも一部を解決するためになされたものであり、以下の形態または適用例として実現することが可能である。
【０００７】
（適用例１）印刷装置、携帯端末、および外部サーバーを備える情報表示システムであって、印刷装置は、地理的な位置情報を取得する位置検出部と、印刷を行う印刷部と、位置検出部が取得した位置情報を含む２次元コードを生成し、当該２次元コードを印刷部に印刷させる出力制御部と、を備え、携帯端末は、印刷装置で印刷された２次元コードを撮像する撮像部と、表示を行う表示画面部と、撮像部の撮像結果に基づき、外部サーバーから受信した画面であって位置情報に対応するメニュー画面を表示画面部に表示させる端末制御部と、を備えることを特徴とする情報表示システム。
この構成によれば、印刷装置で印刷された位置情報を含む２次元コードを、携帯端末で撮像し、この位置情報に応じたメニュー画面を携帯端末の表示画面に表示するため、印刷装置の設置場所に応じた適切な情報を、携帯端末の使用者に対し迅速に提示できる。
【０００８】
（適用例２）携帯端末は、外部サーバーと通信する通信部をさらに備え、印刷装置の出力制御部は、印刷装置の設定内容を示す設定コードと製品情報と位置情報と外部サーバーのアドレス情報とを含んだ２次元コードを生成し、携帯端末の通信部は、撮像部の撮像結果をアドレス情報が示す外部サーバーへ送信することを特徴とする上記に記載の情報表示システム。
この構成によれば、携帯端末の使用者は、迅速に位置情報を外部サーバーに送信して、位置情報に応じたメニュー画面を表示画面に表示させることができる。
【０００９】
（適用例３）設定コードは、印刷装置のエラー内容を示すエラーコードと、印刷装置の内部状況を示す内部コードと、を含む設定内容であることを特徴とする上記に記載の情報表示システム。
この構成によれば、印刷装置のエラー内容と内部状況をコード化した設定コードが２次元コードに含まれているため、携帯端末の使用者は、迅速に設定コードを外部サーバーに送信して、設定コードに応じたメニュー画面を表示画面に表示させることができる。
【００１０】
（適用例４）携帯端末の通信部は、外部サーバーが撮像結果を解析して位置情報から特定した言語で記述されたメニュー画面を、外部サーバーから受信することを特徴とする上記に記載の情報表示システム。
この構成によれば、携帯端末内に位置情報から言語を特定するプログラムを用意する必要がないため、汎用の携帯端末を当該情報表示システムに利用することができる。
【００１１】
（適用例５）携帯端末の通信部は、外部サーバーが撮像結果を解析して位置情報から言語を特定できない場合は英語で記述されたメニュー画面を、外部サーバーから受信することを特徴とする上記に記載の情報表示システム
この構成によれば、位置情報から言語を特定できない場合でも、共通言語である英語のメニュー画面を携帯端末に表示させることができる。
【００１２】
（適用例６）印刷装置、携帯端末、および外部サーバーを備える情報表示システムの制御方法であって、印刷装置が、地理的な位置情報を取得して、当該位置情報を含む２次元コードを生成して印刷を行い、携帯端末が、印刷された２次元コードを撮像した撮像結果に基づき、外部サーバーから受信した画面であって位置情報に対応するメニュー画面を表示することを特徴とする情報表示システムの制御方法。
この構成によれば、印刷装置で印刷された位置情報を含む２次元コードを、携帯端末で撮像し、この位置情報に応じたメニュー画面を携帯端末に表示するため、印刷装置の設置場所に応じた適切な情報を、携帯端末の使用者に対し迅速に提示できる。
【００１３】
（適用例７）地理的な位置情報を取得する位置検出部と、印刷を行う印刷部と、位置検出部が取得した位置情報を含む２次元コードを生成し、当該２次元コードを印刷部に印刷させる出力制御部と、を備えることを特徴とする印刷装置。
この構成によれば、印刷装置は設置場所に応じた適切な情報を含む２次元コードを印刷するため、携帯端末の使用者は当該２次元コードから容易に情報を得ることができる。
【図面の簡単な説明】
【００１４】
【図１】本発明の一実施形態に係る情報表示システムのシステム構成図。
【図２Ａ】レシートプリンターにおける設定コードの表示例を示す図。
【図２Ｂ】レシートプリンターで印刷された状況レポートの記載例を示す図。
【図３】外部サーバーに記憶されるデータベース対応表の一例を示す図。
【図４】携帯電話における日本語の表示例を示す図。
【図５】携帯電話における英語の表示例を示す図。
【図６】情報表示処理の流れを示すフローチャート。
【発明を実施するための形態】
【００１５】
以下、本発明の一実施形態について、添付図面を参照しながら詳細に説明する。本実施形態では、本発明の「印刷装置」を「レシートプリンター」に適用し、「携帯端末」を「携帯電話」に適用した場合を例示する。
【００１６】
図１は、本発明の一実施形態に係る情報表示システムのシステム構成図である。情報表示システムＳＹは、レシートプリンター１と、当該レシートプリンター１に関する情報を表示する携帯電話２と、当該携帯電話２とネットワークＮＷを介して接続された外部サーバー３と、を備える。本実施形態において、使用者は、レシートプリンター１が印刷した２次元コードＣ１を、携帯電話２で撮像することにより、外部サーバー３（電子マニュアル・サポートシステム）にアクセスし、電子マニュアルの閲覧、エラーの対処、ドライバーのダウンロード等のサービスを受ける。詳細については、後述する。
【００１７】
レシートプリンター１は、長尺状のレシート用紙に、不図示のＰＯＳ端末から出力された会計情報を印刷してレシートを発行する。図１に示すように、レシートプリンター１は、主な構成要素として、位置検出部１０、表示部１１、プリンター制御部１２（出力制御部）および印刷部１３を備える。
【００１８】
位置検出部１０は、ＧＰＳ（Global Positioning System）を搭載して、レシートプリンター１の地理的な位置情報を取得する。ここで取得された位置情報が、後述の外部サーバー３に送信されて、言語の特定が行われる。
【００１９】
表示部１１は、レシートプリンター１の設定内容を示す設定コードを表示する液晶ディスプレイである。図２Ａは、レシートプリンターにおける設定コードの表示例を示す図である。同図の例では、レシートプリンター１の内部状況を示す内部コード「２ｕ４５」と、エラー内容を示すエラーコード「Ｅ１０３」と、を組み合わせたテキストデータ（英数字列）が、設定コードとして表示部１１に表示される。
【００２０】
プリンター制御部１２は、レシートプリンター１の各部を制御する。例えば使用者の操作にしたがって、プリンター制御部１２は設定コードを生成する。また、プリンター制御部１２は、表示部１１に対し生成した設定コードをテキストデータとして表示させ、印刷部１３に対し生成した設定コードをテキストデータおよび２次元コードＣ１として印刷させる。
【００２１】
ここで、設定コードの生成アルゴリズムについて説明する。上記のとおり、図２Ａの設定コードには、レシートプリンター１のエラーコードが含まれる。レシートプリンター１のエラーとしては、印刷ヘッドの高温エラー、レシート用紙（ロール紙）の収容部に設けられたロール紙カバーのオープンエラー、オートカッターエラー、メモリーのリードライトエラー、電源の高電圧エラー、ＣＰＵ（Central  Processing  Unit）の実行エラー、内部回路の接続エラーなどがある。
【００２２】
設定コードには、更にレシートプリンター１の内部状況を示す内部コードが含まれる。内部状況とは、設定内容、利用履歴および仕様情報を指す。設定内容としては、レシートプリンター１のファームウェアのバージョン情報、レシートプリンター１に搭載されたディップスイッチの設定状態などがある。また、利用履歴としては、レシートプリンター１の通算稼働時間、オートカッターのカット回数、レシートの発行枚数、印刷ヘッドの走行距離などがある。また、仕様情報としては、製造年月、インターフェイスの種類、ビジー条件、受信バッファーのサイズ、搭載フォント、自動改行の有無、印字濃度などがある。例えば、図２Ａの設定コード［２ｕ４５Ｅ１０３］の場合、「２」がファームウェアのバージョン、「ｕ」が使用インターフェイス（ＵＳＢ）、「４」が通算稼働時間、「５」がレシートの発行枚数を示す。
【００２３】
このように、プリンター制御部１２は、エラー内容、設定内容、利用履歴および仕様情報に関する情報をコード化し、組み合わせることにより、設定コードを生成する。なお、上述の生成アルゴリズムに限らず、各情報の組合せと、設定コードまたは内部コードとを対応付けた対応表を参照して、設定コードを生成しても良い。
【００２４】
印刷部１３は、状況レポート４０を印刷する。図２Ｂは、レシートプリンターで印刷された状況レポートの記載例を示す図である。状況レポート４０には、テキストデータで表された設定コードと、２次元コードＣ１（シンボル画像）と、が記載されている。本実施形態において、２次元コードＣ１には、少なくとも設定コード、製品情報（品名・機種）、外部サーバー３のアドレス情報、位置情報が含まれ、プリンター制御部１２はこれらの情報をエンコードして２次元コードＣ１を生成する。
【００２５】
なお、状況レポート４０に記載される印刷用の設定コード（テキストデータおよび２次元コードＣ１）は、表示部１１に表示される表示用の設定コードと必ずしも同じでなくても良い。例えば、表示用の設定コードに、さらに別の情報項目をコード化したものを印刷用の設定コードとしても良い。
【００２６】
一方、携帯電話２は、主な構成要素として、表示画面部２１、撮像部２２、記憶部２３、操作部２４、通信部２５および端末制御部２６を備える。表示画面部２１は、外部サーバー３から提供される各種画面を表示する（図４、図５参照）。使用者は、この各種画面にしたがって表示画面部２１の操作を行うことで、マニュアルやエラー対処など各種情報を得る。撮像部２２は、表示部１１に表示された設定コード、または状況レポート４０に記載された２次元コードＣ１を撮像する。
【００２７】
記憶部２３は、２次元コードＣ１を認識するための認識アプリケーション、ＯＳ（Operating  System）、Ｗｅｂブラウザーの他、各種制御プログラムを記憶する。操作部２４は、使用者が、表示画面部２１の操作や撮像部２２の操作を行うために用いられる。通信部２５は、インターネット等のネットワークＮＷを介して、外部サーバー３と通信を行うためのインターフェイスである。
【００２８】
端末制御部２６は、携帯電話２の各部を統括制御する。例えば、使用者により状況レポート４０に記載された２次元コードＣ１の撮像操作が行われると、端末制御部２６は、撮像部２２により撮像された２次元コードＣ１をデコード処理する。そして、端末制御部２６は、アドレス情報を抽出し、当該アドレス情報に基づいて外部サーバー３にアクセスすることにより、電子マニュアル・サポートシステムのメニュー画面を表示画面部２１に表示させる（図４の２１Ａ、図５の２１Ｘ）。これは、携帯電話２のＷｅｂブラウザー上で、外部サーバー３からＷｅｂアプリケーションとして提供される電子マニュアル・サポートプログラムが動作することにより実現可能である。また、使用者により、表示部１１に表示された設定コードの撮像操作が行われると、端末制御部２６は、その撮像結果から設定コードを復元し、当該設定コードに対応する情報を表示画面部２１に表示させる。情報表示処理の詳細な流れについては、図６にて後述する。
【００２９】
外部サーバー３は、主な構成要素として、通信部３１、データベース（以下、「ＤＢ」と表記する）３２およびサーバー制御部３３を備える。通信部３１は、ネットワークＮＷを介して携帯電話２と通信を行うためのインターフェイスである。
【００３０】
ＤＢ３２は、携帯電話２に提供する各種情報を記憶する。携帯電話２の端末制御部２６は、表示部１１に表示された設定コードまたは状況レポート４０に記載された２次元コードＣ１の撮像結果に基づき、外部サーバー３がＤＢ３２に記憶されたＤＢ対応表を参照して抽出した情報を、表示画面部２１に表示させる。
【００３１】
図３は、外部サーバーに記憶されるＤＢ対応表の一例を示す図である。ＤＢ対応表は、機種およびＲＯＭバージョン（ファームウェアのバージョン）ごとに、マニュアル、ドライバー、エラー対応表を定める。同図に示すように、同じ機種であっても、ＲＯＭバージョンによって、マニュアル、ドライバー、エラー対応表が異なる場合がある。なお、エラー対応表とは、エラーコード別にエラー対処情報が記述された表である。
【００３２】
サーバー制御部３３は、携帯電話２のＷｅｂブラウザーの要求にしたがって、電子マニュアル・サポートプログラムを動作させる。また、サーバー制御部３３は、携帯電話２の操作部２４による操作に応じて、上述のＤＢ対応表を参照して抽出した適切な情報（電子マニュアル・サポートシステムのメニュー画面等）を携帯電話２に提供する。
【００３３】
次に、携帯電話２の表示画面部２１に表示される各種画面について説明する。図４は、携帯電話における日本語の表示例を示す図である。表示画面２１Ａは、電子マニュアル・サポートシステムのメニュー画面の一例である。表示画面２１Ａには、サービスメニューが表示される。サービスメニューは、「マニュアル」、「エラー対処」、「ドライバー・ソフトウェアダウンロード」、「サポート情報」を含み、使用者により、これらの中から１の選択肢が選択される。ここで、例えば、使用者により「マニュアル」のサービスメニューが選択されると、表示画面２１Ｂに移行する。表示画面２１Ｂには、撮像された２次元コードＣ１に含まれる製品情報（品名・機種）に関するマニュアル一覧画面が表示される。マニュアル一覧画面には、２次元コードＣ１に含まれる製品情報、設定コードに基づいて、機種やファームウェアのバージョン情報等に対応するセットアップガイド、プリンター操作ガイド、ソフトウェアガイドが表示される。ここで、使用者により１のマニュアルが選択されると、携帯電話２は、そのマニュアルをダウンロードして表示画面部２１上に表示する（図示省略）。
【００３４】
次に、メニュー画面において「エラー対処」のサービスメニューが選択されると、表示画面２１Ｃに移行する。表示画面２１Ｃには、２次元コードＣ１に含まれる設定コードに基づいて、エラー対処情報画面が表示される。エラー対処情報画面には、エラー内容と内部状況が表示される。エラー内容は、設定コードに含まれるエラーコードによって、その内容が異なる（同図の例では、「カッターの動作不良です。」の部分）。つまり、図３に示したＤＢ対応表に基づき、サーバー制御部３３は、機種やＲＯＭバージョンに応じたエラー対応表を特定し、さらに当該エラー対応表の中から、エラーコードによって特定される情報を抽出する。また、設定コードに含まれる利用履歴を示す内部コードによっても、エラー内容の記載が異なる（同図の例では、「カッター回数が１００万回を上回っているため部品交換が必要です。」の部分）。また、内部状況は、設定コードに含まれる設定内容、利用履歴および仕様情報を示す内部コードによって、その内容が異なる。なお、内部状況として表示される情報は、必ずしも設定コードに含まれる全ての情報ではなく、その一部の情報であっても良い。
【００３５】
その他、図示しないが、メニュー画面において「ドライバー・ソフトウェアダウンロード」のサービスメニューが選択された場合、表示画面部２１には、２次元コードＣ１に含まれる製品情報、設定コードに基づいて、機種やファームウェアのバージョン情報等に対応するインストール可能なドライバーやユーティリティー等のソフトウェアの一覧画面（バージョンアップの対象となるドライバーやソフトウェアの一覧など）が表示される。
【００３６】
また、図示しないが、メニュー画面において「サポート情報」のサービスメニューが選択された場合、表示画面部２１には、２次元コードＣ１に含まれる製品情報、設定コードに基づいて、必要なサポート情報を示すサポート情報画面が表示される。なお、サポート情報とは、品名、機種、ファームウェアおよび利用履歴に応じた各種情報（不具合の対処方法、問い合わせ先、Ｑ＆Ａ、不具合発生状況など）である。
【００３７】
図５は、携帯電話における英語の表示例を示す図である。同図は、図４の表示画面２１Ａ，２１Ｂ，２１Ｃの日本語表記を、それぞれ対応する英語表記にして表示画面２１Ｘ，２１Ｙ，２１Ｚとした図である。この英語表記は、レシートプリンター１が設置されている地理的な位置情報に基づいて、外部サーバー３が言語を判断することにより行われる。具体的には、レシートプリンター１の位置検出部１０（図１）が位置情報を取得し、印刷部１３によりこの位置情報を含めた２次元コードＣ１が状況レポート４０に印刷される。携帯電話２の使用者により状況レポート４０に記載された２次元コードＣ１の撮像操作が行われると、端末制御部２６は、撮像部２２により撮像された２次元コードＣ１をデコード処理する。そして、端末制御部２６は、位置情報とアドレス情報を抽出し、当該アドレス情報に基づいて外部サーバー３にアクセスする。外部サーバー３のサーバー制御部３３は、当該位置情報をもとにレシートプリンター１が設置されている国や地域を判断し、言語を特定する。例えば、レシートプリンター１が米国に設置されていると判断すると、言語として英語が特定される。そして、サーバー制御部３３は、ＤＢ３２に記憶されたＤＢ対応表を参照して、英語で記述された電子マニュアル・サポートシステムのメニュー画面を抽出し、当該メニュー画面を携帯電話２に提供する。
【００３８】
次に、情報表示システムＳＹによる情報表示処理の流れを説明する。図６は、情報表示処理の流れを示すフローチャートである。ここでは、携帯電話２に、レシートプリンター１のマニュアルを表示させる場合について例示する。また、前提条件として、レシートプリンター１において、携帯電話２を操作する使用者により、状況レポート４０を印刷するための操作子であるボタンが押下され（Ｓ０１）、状況レポート４０が印刷されたものとする（Ｓ０２）。
【００３９】
使用者は、携帯電話２の２次元コード認識アプリケーションを起動させ（Ｓ１１）、状況レポート４０の２次元コードＣ１を撮像する（Ｓ１２）。２次元コード認識アプリケーションによって２次元コードＣ１が認識されると、携帯電話２の表示画面部２１にＵＲＬ（外部サーバー３のアドレス情報）が表示され、使用者はこれをクリックする。このクリックによって、携帯電話２の通信部２５から撮像結果が外部サーバー３に送信され、外部サーバー３は、通信部３１で受信した撮像結果を解析する（Ｓ１３）。「撮像結果の解析」とは、２次元コードＣ１をデコード処理することにより得られる設定コード等に基づき、レシートプリンター１の設定内容、エラー内容、利用履歴および仕様情報を特定し、それらに対応したマニュアル格納アドレスをＤＢ３２から読み出すことを指す。なお、この特定の際には、位置情報からマニュアルの言語の特定も行う。外部サーバー３は、撮像結果の解析に基づいて、通信部３１からメニュー画面（図４、図５参照）を携帯電話２に送信し（Ｓ１４）、携帯電話２は、通信部２５で受信した当該メニュー画面を表示画面２１Ａ，２１Ｘのように表示画面部２１に表示させる（Ｓ１５）。
【００４０】
続いて、使用者が、表示されたサービスメニューの中から「マニュアル」を選択すると（Ｓ１６）、外部サーバー３は、通信部３１からマニュアル一覧画面を携帯電話２に送信し（Ｓ１７）、携帯電話２は、通信部２５で受信した当該マニュアル一覧画面を表示画面２１Ｂ，２１Ｙのように表示画面部２１に表示させる（Ｓ１８）。
【００４１】
以上説明したとおり、本実施形態によれば、携帯電話２により、レシートプリンター１により出力された２次元コードＣ１を撮像し、それらの撮像結果に応じた情報を表示するため、使用者に対し、レシートプリンター１の品名・機種並びにレシートプリンター１の設定内容・位置情報に応じた適切な情報を迅速に提示することができる。
また、携帯電話２は、外部サーバー３から、設定コード等に対応する情報を取得する構成であるため、携帯電話２内にデータベースを必要としない。また、この構成により、携帯電話２におけるデータベースの更新が不要となり、常に最新の情報を使用者に提示することができる。
【００４２】
なお、以下の変形例を採用可能である。上記の実施形態では、外部サーバー３のサーバー制御部３３が位置情報をもとにレシートプリンター１が設置されている国や地域を判断して言語を特定したが、国や地域を判断できない場合も有りうる。この場合は、言語が特定できないため、共通言語の英語が特定されても良い。
【００４３】
また、上記の実施形態では、レシートプリンター１は、設定コード等を印刷部１３で印刷して出力していたが、電子メールなどの通信により設定コード等を出力しても良い。この場合、通信結果を可視表示化したものを携帯電話２により撮像すれば良い。さらに、レシートプリンター１による設定コード等の出力手段および出力形態（シンボル画像、バーコードまたはテキストデータなど）を使用者が選択可能としても良い。
【００４４】
また、上記の実施形態では、状況レポート４０に記載される情報として、２次元コードＣ１を例示したが、バーコードなど他のシンボル画像を用いても良い。また、シンボル画像ではなく、各製品を特定可能なマークを用いても良いし、製品情報を示すテキストを用いても良い。
【００４５】
また、上記の実施形態では、携帯端末として携帯電話２を例示したが、スマートフォン、タブレット端末、ＰＤＡ（Personal  Digital  Assistant）など、カメラを備えた各種情報処理端末を用いても良い。
【００４６】
また、上記の実施形態および変形例に示した情報表示システムＳＹの各構成要素をプログラムとして提供しても良い。また、そのプログラムを各種記録媒体（ＣＤ−ＲＯＭ、フラッシュメモリー等）に格納して提供しても良い。すなわち、コンピューターを情報表示システムＳＹの各構成要素として機能させるためのプログラム、およびそれを記録した記録媒体も、本発明の権利範囲に含まれる。その他、レシートプリンター１以外の電子機器を用いるなど、本発明の要旨を逸脱しない範囲で、適宜変更が可能である。
【符号の説明】
【００４７】
１…レシートプリンター、２…携帯電話、３…外部サーバー、１０…位置検出部、１１…表示部、１２…プリンター制御部、１３…印刷部、２１…表示画面部、２２…撮像部、２３…記憶部、２４…操作部、２５…通信部、２６…端末制御部、３１…通信部、３２…データベース、３３…サーバー制御部、４０…状況レポート、Ｃ１…２次元コード、ＮＷ…ネットワーク、ＳＹ…情報表示システム。
【図１】
2017187881.tif 000003
【図２Ａ】
2017187881.tif 000004
【図２Ｂ】
2017187881.tif 000005
【図３】
2017187881.tif 000006
【図４】
2017187881.tif 000007
【図５】
2017187881.tif 000008
【図６】
2017187881.tif 000009